(57)【要約】【課題】開口部をラップフィルムで覆った際に、ラップフィルムの密着性が高く、該開口部を良好に密封しうる紙製のカートンを提供する。【解決手段】底面板１０と、該底面板１０の四方に連接された側面板２０，３０を備えた本体１と、互いに対向する一方の一対の側面板３０，３０の上縁に連接された上面板５０，５０を備えた蓋体２と、を有するカートンにおいて、側面板２０の上縁に、該上縁を側方折り部２２として内側に折り曲げられ本体１の開口部内に突出する上面フラップ２１を連接し、側方折り部２２を跨いで側面板２０とフラップ２１とにラップフィルムの密着部２３を形成する。【選択図】図１
2019099276.tif 000002
【特許請求の範囲】
【請求項１】
底面板と、前記底面板の四方にそれぞれ連接され前記四方より立ち上がる４枚の側面板と、を有する箱形の本体と、
相対する二対の前記側面板の一方の対の前記側面板のそれぞれの上縁をヒンジ部として傾動可能に前記上縁に連接され自由端側において互いに重なり合って前記本体の開口部を覆う２枚の上面板を有する蓋体と、
を有する紙製のカートンにおいて、
前記本体の開口部において、二対の相対する辺の少なくとも一方の対の辺に連接するフラップを有し、
前記辺を跨いで、前記フラップの外側表面と前記フラップに連接する前記側面板の外側表面と、にラップフィルムの密着部を有することを特徴とするカートン。
【請求項２】
前記フラップが、前記二対の前記側面板の他方の対の前記側面板のそれぞれの上縁に連接され前記上縁を側方折り部として内側に折り曲げられ前記開口部内に突出する２枚の側方フラップであり、
前記密着部が、前記側方折り部を跨いで、前記側面板の外側表面と前記側方フラップの外側表面とに形成されていることを特徴とする請求項１に記載のカートン。
【請求項３】
前記２枚の上面板の少なくとも一方が、両側辺が前記ヒンジ部側から自由端側に向かうに従って互いに接近し、前記自由端側端部において前記自由端に沿って外側に突出し、前記本体の開口部を覆った際に、前記開口部より差し込まれて前記側方フラップの下方に重なる突出部を有することを特徴とする請求項２に記載のカートン。
【請求項４】
前記他方の対の前記側面板のそれぞれの上縁又は前記上縁近傍の前記２枚の側方フラップに、前記上縁に平行なスリットを有し、
前記２枚の上面板の一方の両側辺のそれぞれの自由端側端部に連接され、前記側辺を折り部として下方に折り曲げられ前記スリットに差し込まれる差し込み片を有することを特徴とする請求項２に記載のカートン。
【請求項５】
前記ヒンジ部が不連続な切断部で形成され、前記上面板が前記本体から切り離し可能であることを特徴とする請求項２乃至４のいずれか一項に記載のカートン。
【請求項６】
前記２枚の上面板がそれぞれ前記ヒンジ部に連接する上面フラップを有し、前記上面フラップを残して前記本体から前記上面板が切り離し可能であり、
前記ヒンジ部を跨いで、前記側面板の外側表面と前記上面フラップの外側表面と、にラップフィルムの密着部を有することを特徴とする請求項２乃至５のいずれか一項に記載のカートン。
【請求項７】
前記フラップが、前記２枚の上面板にそれぞれ形成され前記ヒンジ部に連接する上面フラップであり、前記上面フラップを残して前記本体から前記上面板が切り離し可能であり、
前記密着部が、前記ヒンジ部を跨いで、前記側面板の外側表面と前記上面フラップの外側表面とに形成されていることを特徴とする請求項１に記載のカートン。
【請求項８】
前記二対の前記側面板の他方の対の前記側面板のそれぞれの上縁に連接され前記上縁を側方折り部として内側に折り曲げられ前記開口部内に突出する２枚の側方フラップを有することを特徴とする請求項７に記載のカートン。
【請求項９】
前記２枚の上面板の少なくとも一方が、両側辺が前記ヒンジ部側から自由端側に向かうに従って互いに接近し、前記自由端側端部において前記自由端に沿って外側に突出し、前記本体の開口部を覆った際に、前記開口部より差し込まれて前記側方フラップの下方に重なる突出部を有することを特徴とする請求項８に記載のカートン。
【請求項１０】
前記他方の対の前記側面板のそれぞれの上縁又は前記上縁近傍の前記２枚の側方フラップに、前記上縁に平行なスリットを有し、
前記２枚の上面板の一方の両側辺のそれぞれの自由端側端部に連接され、前記側辺を折り部として下方に折り曲げられ前記スリットに差し込まれる差し込み片を有することを特徴とする請求項８に記載のカートン。
【請求項１１】
前記上面フラップが、前記ヒンジ部から所定の距離を介して前記ヒンジ部に平行に形成された不連続な切断部からなるフラップ形成線と、前記ヒンジ部との間の領域であることを特徴とする請求項６乃至１０のいずれか一項に記載のカートン。
【請求項１２】
前記上面フラップが前記ヒンジ部に両端を接する略コ字形のフラップ形成線によって囲まれ、
前記フラップ形成線が連続した或いは不連続な切断部で形成され、前記フラップ形成線の前記両端から前記ヒンジ部の両端までが不連続な切断部で形成されていることを特徴とする請求項６乃至１０のいずれか一項に記載のカートン。
【請求項１３】
前記上面フラップが、前記ヒンジ部の両端に両端を接する略コ字形のフラップ形成線によって囲まれ、
前記フラップ形成線が不連続な切断部で形成されていることを特徴とする請求項６乃至１０のいずれか一項に記載のカートン。
【請求項１４】
前記密着部の幅が１０ｍｍ以上であることを特徴とする請求項１乃至１３のいずれか一項に記載のカートン。
【請求項１５】
前記密着部が、ニスの塗膜であることを特徴とする請求項１乃至１４のいずれか一項に記載のカートン。
【発明の詳細な説明】
【技術分野】
【０００１】
本発明は、食品用の紙製のカートンに関し、本体の開口部をラップフィルムで覆って密封し易いカートンに関する。
【背景技術】
【０００２】
調理済みの総菜等食品の販売用カートンとして、箱形の容器を備えた紙製のカートンが広く用いられている。このような紙製のカートンで販売された食品を、電子レンジで加熱する際や、冷蔵庫で保存する際には、容器の開口部をラップフィルムで覆うことが多いが、紙製の容器にはラップフィルムが密着しにくく、開口部をうまく密封できないという問題があった。
【０００３】
特許文献１には、紙製の容器の開口部の側部にラップフィルムの密着層を設けることにより、開口部を覆ったラップフィルムを上記側部において容器に密着させる技術が開示されている。
【先行技術文献】
【特許文献】
【０００４】
【特許文献１】特許第３０９２８４８号公報
【発明の概要】
【発明が解決しようとする課題】
【０００５】
しかしながら、特許文献１のように、開口部の側部に密着層を設けただけでは、十分にラップフィルムを密着させることができない場合があり、より容易に且つ確実に開口部をラップフィルムで密封しうる手段が望まれていた。
【０００６】
本発明の課題は、紙製のカートンにおいて、開口部をラップフィルムで覆った際に、ラップフィルムの密着性が高く、該開口部を良好に密封しうるカートンを提供することにある。
【課題を解決するための手段】
【０００７】
（１）本発明のカートンは、底面板と、前記底面板の四方にそれぞれ連接され前記四方より立ち上がる４枚の側面板と、を有する箱形の本体と、
相対する二対の前記側面板の一方の対の前記側面板のそれぞれの上縁をヒンジ部として傾動可能に前記上縁に連接され自由端側において互いに重なり合って前記本体の開口部を覆う２枚の上面板を有する蓋体と、
を有する紙製のカートンにおいて、
前記本体の開口部において、二対の相対する辺の少なくとも一方の対の辺に連接するフラップを有し、
前記辺を跨いで、前記フラップの外側表面と前記フラップに連接する前記側面板の外側表面と、にラップフィルムの密着部を有することを特徴とする。
本発明においては、下記の構成（１）、（２）を好ましい態様として含み、特に、下記（１）及び（２）の両方の構成を有する態様が好ましい。
（１）前記フラップが、前記二対の前記側面板の他方の対の前記側面板のそれぞれの上縁に連接され前記上縁を側方折り部として内側に折り曲げられ前記開口部内に突出する２枚の側方フラップであり、
前記密着部が、前記側方折り部を跨いで、前記側面板の外側表面と前記側方フラップの外側表面とに形成されている。
（２）前記フラップが、前記２枚の上面板にそれぞれ形成され前記ヒンジ部に連接する上面フラップであり、前記上面フラップを残して前記本体から前記上面板が切り離し可能であり、
前記密着部が、前記ヒンジ部を跨いで、前記側面板の外側表面と前記上面フラップの外側表面とに形成されている。
【発明の効果】
【０００８】
本発明においては、ラップフィルムの密着部が側方折り部又はヒンジ部を跨いで側面板とフラップとに形成されているため、本体の開口部を覆うラップフィルムが側方折り部又はヒンジ部を跨いで本体に密着するため、ラップフィルムの本体への密着性が高く、開口部を容易に密封することができる。
【０００９】
また、側方折り部を跨ぐ密着部、及び、ヒンジ部を跨ぐ密着部、の両方を設けることにより、ラップフィルムの本体への密着性がより高くなり、さらに開口部の密封性を高めることができる。
【図面の簡単な説明】
【００１０】
【図１】本発明のカートンの一実施形態のブランクを示す上面図である。
【図２】図１のカートンの蓋体を開けた状態を示す斜視図である。
【図３】図１のカートンの蓋体を本体から切り離した状態の斜視図である。
【図４】図１のカートンの蓋体を閉じた状態を示す図であり、（ａ）は斜視図、（ｂ）は上面図である。
【図５】本発明のカートンの他の実施形態のブランクの部分上面図であり、上面板と側面板とを示す。
【図６】本発明のカートンの他の実施形態のブランクを示す底面図である。
【図７】本発明のカートンの他の実施形態のブランクを示す上面図である。
【発明を実施するための形態】
【００１１】
以下、図面を参照して本発明の実施形態を説明するが、本発明は下記実施形態に限定されない。また、以下に参照する図面において、同じ符号は同様の構成要素を示す。
【００１２】
図１は、本発明のカートンの好ましい一実施形態のブランクの上面図であり、成形後に外側となる面を示している。また、図２は、図１のブランクを成形した後の、蓋体を開けた状態の斜視図であり、図３は、蓋体を切り離した状態の斜視図であり、図４（ａ）は、蓋体を閉じた状態の斜視図であり、図４（ｂ）は蓋体を閉じた状態の上面図である。尚、図１中の一点鎖線で示す折り部は山折りであり、破線で示す折り部は谷折りである。
【００１３】
図１〜図３に示すように、本発明のカートンは、紙製の本体１と蓋体２とを備えている。本体１は、底面板１０と、底面板１０の四方にそれぞれ連接され、該四方を下方折り部１２として上方に折り曲げ、該四方から立ち上げた４枚の側面板２０，２０，３０，３０を有する箱形である。４枚の側面板のうち、側面板２０，２０が互いに対向し、側面板３０，３０が互いに対向している。また、蓋体２は、２枚の側面板３０，３０のそれぞれの上縁に連接された２枚の上面板５０，５０を備えており、該２枚の上面板５０は、側面板３０の上縁をヒンジ部３２として傾動可能に連接され、本体１の開口部を覆った際には、自由端５０ｂ側が互いに重なり合う。
【００１４】
本発明においては、図１〜図３に示すように、本体１と蓋体２とを備えたカートンにおいて、本体１の開口部の二対の相対する辺の少なくとも一方の対の辺に連接するフラップを設け、該辺を跨いで上記フラップと、該フラップに連接する２枚の側面板２０と２０、或いは、３０と３０、の外側表面に、ラップフィルムの密着部を設けることで、ラップフィルムの本体１への密着性を高めたことに特徴を有する。
【００１５】
以下、上記フラップ及び密着部を、少なくとも側面板２０，２０側に設けた形態を第１の実施形態、側面板３０，３０側に設けた形態を第２の実施形態として説明する。
【００１６】
〔第１の実施形態〕
本実施形態においては、相対する二対の側面板２０，２０と３０，３０のうち、一方の対の側面板２０，２０のそれぞれの上縁に連接され、該上縁を側方折り部２２，２２として内側に折り曲げられて本体１の開口部内に突出する２枚の側方フラップ２１，２１を有し、上記側方折り部２２，２２を跨いで側面板２０，２０と側方フラップ２１，２１のカートンの外側となる表面にラップフィルムの密着部２３，２３（図中の斜線のハッチングで示される領域）が形成されている。
【００１７】
図１〜図３に示すように、側方フラップ２１は、側方折り部２２で折り曲げられて本体１の開口部内に突出し、該側方折り部２２を跨いで形成された密着部２３は、側方折り部２２を構成する側面板２０と側方フラップ２１の二面にわたって、カートンの外側表面に形成されている。よって、本体１の開口部をラップフィルムで覆った際には、ラップフィルムが２箇所の側方折り部２２，２２を跨いでそれぞれで二面に密着するため、開口部を良好に密封することができる。
【００１８】
尚、側方フラップ２１は、密着部２３を形成するための部材であると同時に、蓋体２を閉じた際に、上面板５０に重なる部材でもあり、側方フラップ２１を設けることで、本体１に収納した食品が外部にこぼれ出たり、外部から異物が侵入したりするのを抑止する作用を有する。
【００１９】
さらに本実施形態においては、図１に示すように、上面板５０のヒンジ部３２から所定の距離を介して、該ヒンジ部３２に平行なフラップ形成線５３が不連続な切断部によって形成されている。不連続な切断部としては、例えばミシン目や、ニック部と切断部が挙げられる。このようなフラップ形成線５３で切断することで、上面板５０のヒンジ部３２側の領域を上面フラップ５１として残して、自由端５０ｂ側の領域５２を切り離すことができ、本体１の開口部をラップフィルムで覆う際に、邪魔な上面板５０の大部分を除くことができる。
【００２０】
また、本実施形態においては、ヒンジ部３２を跨いで上面フラップ５１と側面板３０の、カートンの外側となる表面にラップフィルムの密着部３３（図中の斜線のハッチングで示される領域）が形成されている。
【００２１】
よって、本実施形態においては、フラップ形成線５３で上面板５０の自由端５０ｂ側の領域５２を切り離し、上面フラップ５１を内側に折り曲げて本体１の開口部内に突出させることで、図３に示すように、フラップは２１，２１，５１，５１の４枚となり、ラップフィルムが密着する密着部は２３，２３，３３，３３の４箇所となり、より良好にラップフィルムで開口部を密封することができる。
【００２２】
また、フラップ形成線５３は、図５（ａ）に示すように、ヒンジ部３２に両端を接する略コ字形としてもよく、この場合のフラップ形成線５３は、上記した不連続な切断部で形成しても、連続した切断部で形成しても良い。この場合、フラップ形成線５３によって上面フラップ５１を領域５２から切り離すことで、蓋体２を切り離すことなく、上面フラップ５１を形成することができ、フラップは２１，２１，５１，５１の４枚となり、より良好にラップフィルムで開口部を密封することができる。また、本実施形態においては、ヒンジ部３２に接するフラップ形成線５３の両端からヒンジ部３２の両端まで、即ち、フラップ形成線５３で囲まれたヒンジ部３２の中央の領域３２ａを挟んだ両側の領域３２ｂ（便宜上、紙面右側の領域にのみ符号を付す）が不連続な切断部で形成されており、ヒンジ部３２ｂにおいて上面板５０の領域５２を切り離すことができる。よって、フラップ形成線５３とヒンジ部３２ｂとを切断することで、フラップ形成線５３とヒンジ部３２ａとで囲まれた領域を上面フラップ５１として残して上面板５０の残りの領域５２を本体１から切り離すことができる。
【００２３】
尚、図５（ａ）の形態においても、フラップ形成線５３で囲まれたヒンジ部３２ａを跨いで、上面フラップ５１と側面板３０の外側表面に、ラップフィルムの密着部３３を形成することが好ましい。
【００２４】
また、フラップ形成線５３は、図５（ｂ）に示すように両端がヒンジ部３２の両端に一致する略コ字形としても良い。図５（ｂ）の場合、フラップ形成線５３は不連続な切断部で形成する。尚、上面板５０の領域５２を切り離す際の容易性としては、図５（ａ）のようにフラップ形成線５３を形成しておくことが好ましい。
【００２５】
フラップ形成線５３は、上面板５０に隙間を形成するため、カートン内部の蒸気抜きの作用も果たす。また、側方フラップ２１，上面フラップ５１は、それぞれ立ち上げて、本体１を持ち上げるための持ち手として利用することもできる。持ち手としての作用を高める上で、側方フラップ２１や上面フラップ５１を図１〜図３に示した形状よりも大きく形成してもよく、側方フラップ２１に、指を差し込む孔部を設けてもよい。
【００２６】
また、本発明においては、フラップ形成線５３を設けず、ヒンジ部３２を不連続な切断部で形成し、該ヒンジ部３２において、上面板５０を全て本体１から切り離し可能な構成であっても良い。
【００２７】
本発明においては、上面板５０，５０で本体１の開口部を覆った際に、輪ゴムやテープ等を利用して上面板５０，５０が開くのを防止することができるが、予め、上面板５０，５０が開くのを防止する構造を備えていることが好ましい。
【００２８】
図１に示した実施形態においては、２枚の上面板５０，５０がそれぞれ、２枚の側方フラップ２１，２１に係止する構造を設けている。具体的には、２枚の上面板５０，５０のそれぞれが、両側辺５０ａ，５０ａがヒンジ部３２側から自由端５０ｂ側に向かうに従って互いに接近し、自由端５０ｂ側の端部において該自由端５０ｂに沿って外側に突出する突出部５２ａ，５２ａを有している。即ち、上面板５０の幅（ヒンジ部３２に平行な方向の長さ）はヒンジ部３２側から自由端５０ｂ側に向かって一旦漸減し、自由端５０ｂ側の突出部５２ａにおいて増大している。上面板５０の幅の最も狭い箇所においては、該幅は、該箇所が対応する位置の側方フラップ２１の幅の２倍をヒンジ部３２の長さから引いた長さ以下であり、突出部５２ａにおける上面板５０の幅は、対応する位置の側方フラップ２１の幅の２倍をヒンジ部３２の長さから引いた長さより長く、且つ、ヒンジ部３２の長さ以下である。尚、上面板５０の平面形状は、ヒンジ部３２の中央を通り、ヒンジ部３２に直交する仮想線を中心に左右対称である。
【００２９】
係る構成で２枚の上面板５０，５０で本体１の開口部を覆った場合には、図４（ａ），（ｂ）に示すように、上面板５０，５０の突出部５２ａ，５２ａが開口部から差し込まれて側方フラップ２１，２１の下方に重なり、上面板５０，５０は本体１に係止されて開かなくなる。尚、本係止形態は、２枚の上面板５０，５０の一方のみに図１に示す形状を持たせることで実施でき、その場合、係る形状を有する方が上になるように重ねれば良い。しかしながら、２枚の上面板５０，５０の両方が同じ形状である場合には、本体１に対して対象となるため、いずれの上面板を上にしても係止することができるため、包装時に取り扱いが容易であり、好ましい。
【００３０】
尚、図１の構成では、側方フラップ２１の自由端２１ｂの、側方折り部２２に沿った方向における中央部に切り欠き部２１ａを設けることにより、切り欠き部２１ａにおける側方フラップ２１の幅を狭くすると同時に、切り欠き部２１ａ以外の側方フラップ２１の幅を広げて、上面板５０に重なる側方フラップ２１の領域を広くしているが、本実施形態においては、上面板５０の突出部５２ａを側方フラップ２１の下方に重ねて係止することができれば、該切り欠き部２１ａはなくても構わない。
【００３１】
さらに、上面板５０，５０が開くのを防止する他の構造を図６に示す。図６は、ブランクの底面図であり、カートンを成形した際に内側となる面を示している。図１と同じ部材、部位には同じ符号を付している。図中、破線で示す折り部は谷折りである。
【００３２】
図６に示すように、２枚の上面板５０，５０の一方の両側辺５０ａ，５０ａのそれぞれの自由端５０ｂ側の端部に差し込み片５４，５４を連接し、２枚の側方フラップ２１，２１の側方折り部２２，２２（側面板２０，２０の上縁）の近傍に、側方折り部２２，２２に平行なスリット２４，２４を形成する。そして、上面板５０で本体１の開口部を覆う際に、差し込み片５４，５４を上面板５０の側辺５０ａ，５０ａを折り部として下方に折り曲げてスリット２４，２４に差し込むことにより、該上面板５０を本体１に係止することができる。尚、差し込み片５４を有していない上面板５０は、開口部を覆う際に、差し込み片５４を有する上面板よりも先に開口部を覆っておく。尚、スリット２４，２４は側方折り部２２，２２を部分的に切断して形成しても良い。
【００３３】
本体１の開口部を上面板５０，５０で覆った後、さらにテープ等で上面板５０，５０同士を留めても良い。
【００３４】
また、本実施形態においては、本体１の開口部の形状が長方形であるが、正方形であっても良い。また、上面板５０，５０は、本体１の開口部の短辺側に連接されているが、長辺側に連接した構成であっても良い。
【００３５】
さらに、図１の実施形態では、側面板２０と３０との連結形態として、側面板２０から側面板３０に連接する連結片６０ａ、６０ｂを備えている。よって、連結片６０ａ，６０ｂを連結折り部６１ａ，６１ｂ，６１ｃで折り曲げて折り畳み、側面板３０に重ねて接着することで箱形の本体１が形成される。また、係る構成では、成形時に本体１の底部に隙間が生じるおそれがなく、水分や油分の多い食品を収納した場合であっても、液漏れするおそれがなく、好ましい。尚、本発明は係る形態に限定されるものではなく、図６に示すように、側面板２０の両側辺に連結片６０ｃ，６０ｃを設け、該連結片６０ｃ，６０ｃを連結折り部６１ａ，６１ａで折り曲げてそれぞれ側面板３０，３０に接着することで箱形の本体１としても良い。
【００３６】
本発明において、ラップフィルムの密着部２３，３３は、カートン用のニスの塗膜で形成することができる。係るニスとしては、架橋性硬化ニスや、天然ゴムラテックスを主成分とするエマルジョン、アクリル樹脂を主成分とする水性塗料が挙げられる。架橋性硬化ニスとしては、紫外線（ＵＶ）硬化型ニスが好ましく、その種類は特に制限が無く、ラジカル重合体、付加重合体、カチオン重合体のいずれでも好ましく用いることができる。これらのニスは、印刷塗工によって所望の領域に容易に付与することができる。
【００３７】
上記エマルジョンや水性塗料を用いた場合には、グラビア輪転印刷、平グラビア印刷、フレキソ印刷などにした後に熱風乾燥して乾燥塗膜を得る方法が挙げられる。また、上記紫外線硬化型ニスを用いた場合には、オフセット印刷やフレキソ印刷で塗工し、紫外線を照射して硬化膜を得ることができる。また、天然ゴムラテックスを主成分とするエマルジョンを用いる場合には、紫外線などによる劣化を防止するための添加剤を加えることが望ましい。また、粘着性の高い樹脂材料を用いた場合には、ブロッキングを防止するために、ニス中の固形分に対して１０質量％〜２０質量％程度の無機充填材又は有機充填材を添加することが好ましく、係る充填材は平均粒径が２０μｍ以下のものが好ましい。
【００３８】
また、密着部２３，３３の、それぞれ側方折り部２２、ヒンジ部３２に直交する方向の長さ、即ち幅は、それぞれ側方折り部２２、ヒンジ部３２を跨いで１０ｍｍあればラップフィルムを密着させるに十分であり、好ましい。また、密着部２３，３３の面積が広くなるほど、カートンの価格が上昇するため、ラップフィルムの密着性が得られる範囲で、密着部２３，３３は狭い方が好ましい。よって、密着部２３，３３はそれぞれ側方折り部２２、ヒンジ部３２を跨いで形成されていれば、側方折り部２２、ヒンジ部３２に沿った方向全体に形成されている必要はなく、破線状であっても、中央部と両端部のみであっても構わない。また、所望の領域にドット状に上記塗膜を形成しても良い。尚、密着部２３，３３はそれぞれ、側方折り部２２、ヒンジ部３２の両側に均等な幅で形成されていることが望ましい。
【００３９】
また、本発明のカートンは、内側に耐油ニスを塗布しておくことにより、収納する食品に油分が含まれる場合であっても、該油分がカートンにしみ込むのを防止することができる。耐油ニスとしては、一般にカートンに用いられているニスが好ましく用いられる。
【００４０】
〔第２の実施形態〕
本発明の第２の実施形態は、基本的に、上記第１の実施形態において説明した、密着部２３，２３を持たず、且つ、上面フラップ５１，５１及びフラップ形成線５３，５３、密着部３３，３３を備えたカートンであり、係る構成上の違い以外の構成、及び、構成の詳細については、第１の実施形態での説明と同様である。よって、上面フラップ５１としては、図１〜図３に示した形態の他、図５に示した形態も好ましく用いられる。
【００４１】
本実施形態においても、本体１の開口部をラップフィルムで覆った際には、ラップフィルムがヒンジ部３２，３２を跨いでそれぞれで二面に密着するため、開口部を良好に密封することができる。
【００４２】
また、本実施形態においては、側方フラップ２１，２１を設けなくても構わないが、その場合には、図７に示すように、蓋体２が開口部を全て覆う形状とする必要がある。また、側方フラップ２１，２１を設けることで、蓋体２を閉じた際に、該側方フラップ２１，２１が上面板５０，５０と重なり、本体１に収納した食品が外部にこぼれ出たり、外部から異物が侵入したりするのを抑止できることや、本体１を持ち上げるための持ち手として利用できることから、側方フラップ２１，２１を設けることが好ましい。持ち手としての作用を高める上で、側方フラップ２１，２１や上面フラップ５１，５１の形状を大きくしてもよく、側方フラップ２１に指を差し込む孔部を設けてもよい。また、図１、図６に示したように、上面板５０，５０を側方フラップ２１，２１に係止する形状とすることで、蓋体２を本体１に固定する手段が不要となり、包装効率が向上する。
【符号の説明】
【００４３】
１：本体、２：蓋体、１０：底面板、１２：下方折り部、２０，３０：側面板、２１：側方フラップ、２１ａ：切り欠き部、２１ｂ：側方フラップの自由端、２２：側方折り部、２３：すべり止め部、２４：スリット、３２，３２ａ、３２ｂ：ヒンジ部、３３：すべり止め部、５０，５２：上面板、５０ａ：上面板の側辺、５０ｂ：上面板の自由端、５１：上面フラップ、５２ａ：突出部、５３：フラップ形成線、５４：差し込み片、６０ａ，６０ｂ：連結片、６１ａ，６１ｂ，６１ｃ：連結折り部
【図１】
2019099276.tif 000003
【図２】
2019099276.tif 000004
【図３】
2019099276.tif 000005
【図４】
2019099276.tif 000006
【図５】
2019099276.tif 000007
【図６】
2019099276.tif 000008
【図７】
2019099276.tif 000009